(57)【要約】【課題】省エネ性と空調機能を損なわずに建屋内の結露を防止できる装置を提供する。【解決手段】床吹出し空調を行う二重床チャンバ３６を備えた建屋２内において，建屋２内から排出される排気ＥＡと外部から取り込まれる外気ＯＡとを顕熱交換させる顕熱交換器７５を設け，二重床チャンバ３６のスラブ３７上面を覆う仕切部材４５を設けて，顕熱交換器７５で排気と顕熱交換することにより温度上昇した低露点の外気ＯＡ’を，スラブ３７上面と仕切部材４５の間に供給する流路７９を設けたことを特徴とする，建屋内の結露防止装置である。【選択図】　図１
2004060901.tif 000002
【特許請求の範囲】
【請求項１】
床吹出し空調を行う二重床チャンバを備えた建屋内において，建屋内から排出される排気と外部から取り込まれる外気とを顕熱交換させる顕熱交換器を設け，二重床チャンバのスラブ上面を覆う仕切部材を設けて，顕熱交換器で排気と顕熱交換することにより温度上昇した低露点の外気を，スラブ上面と仕切部材の間に供給する流路を設けたことを特徴とする，建屋内の結露防止装置。
【請求項２】
前記スラブ上面が，土間の上面であることを特徴とする，請求項１に記載の建屋内の結露防止装置。
【請求項３】
排気と顕熱交換することにより温度上昇した低露点の外気を，二重床チャンバに対して空調空気を供給する位置のなるべく近くに供給することを特徴とする，請求項１又は２に記載の建屋内の結露防止装置。
【請求項４】
顕熱交換器で排気と顕熱交換することにより温度上昇した低露点の外気を，窓近傍の室内側に供給する流路も設けたことを特徴とする，請求項１，２又は３に記載の建屋内の結露防止装置。
【発明の詳細な説明】
【０００１】
本発明は，建屋内の結露防止装置に関する。
【０００２】
【従来の技術】
ＯＡ機器の電気配線などに利用される二重床チャンバに空調空気を供給し，床に設けた吹出し口から室内に給気する床吹出し方式の空調が行われている。このような床吹出し空調設備では，暖房時において，二重床チャンバの下面となるコンクリートスラブの表面に結露が発生することがある。特に寒冷地における暖房運転時に結露が多発しやすい。そして，この結露現象は，カビ発生等の要因となり，また，二重床チャンバに設けられた電気配線などに悪影響を及ぼす可能性がある。そこで二重床チャンバを備えた建屋では，このような冬季などの結露現象を防止するために，従来より，二重床チャンバのスラブ下面に発泡剤を吹付けて断熱する方法，スラブ上面に不透湿性の断熱材を貼る方法，スラブ上面を裸にして夜間に空調機から給気することによりスラブ上面温度を上昇させる方法などが採用されている。
【０００３】
【発明が解決しようとする課題】
しかしながら，二重床チャンバのスラブ下面に発泡剤を吹付ける方法は，非常に有効であるが，スラブ上面が土間の上面であるような場合は，不可能な方法である。このため，建屋内の最下階については施工することができない。
【０００４】
また，スラブ上面に断熱材を貼る方法は，断熱材にピンホールなどの透湿箇所が無い状態でスラブ上面に貼り付けなければ，二重床チャンバ内の水分がその箇所からスラブ上面側に移動し，結露を生じてしまう。しかし，二重床チャンバ内には床受け金具などが多数存在し，断熱材にピンホールが全くない状態で施工することが至難であり，また仮に施工できたとしても，二重床チャンバ内でのケーブル設置工事等の後工程により，断熱材を損傷させる可能性が高く，結局結露を生じさせてしまう。特にスラブ上面を断熱するいわゆる「内断熱」の場合，暖房時では，断熱材によって躯体への熱供給が小さくなり，躯体の温度即ちスラブ上面の温度はより外気側へ近づき，低温となる。このため，僅かなピンホールがあっても結露を生じてしまう。
【０００５】
また，スラブ上面温度を夜間給気によって上昇させる方法は，結露は防げても，スラブ上面を加熱するために熱負荷が過大になり，エネルギーロスを生じてしまう。また，エネルギーロスにより，室内に供給する給気温度を設定温度に上昇させることができなくなり，空調の目的自体が達成できなくなる心配がある。
【０００６】
このため，従来は結露を防ぐために，加湿の運転を中止もしくは中断せざるを得ない場合があった。
【０００７】
本発明の目的は，省エネ性と空調機能を損なわずに建屋内の結露を防止できる装置を提供することにある。
【０００８】
【課題を解決するための手段】
本発明によれば，床吹出し空調を行う二重床チャンバを備えた建屋内において，建屋内から排出される排気と外部から取り込まれる外気とを顕熱交換させる顕熱交換器を設け，二重床チャンバのスラブ上面を覆う仕切部材を設けて，顕熱交換器で排気と顕熱交換することにより温度上昇した低露点の外気を，スラブ上面と仕切部材の間に供給する流路を設けたことを特徴とする，建屋内の結露防止装置が提供される。仕切部材は二重床チャンバ内に設置されて，排気と顕熱交換された外気を二重床チャンバ内の空気と区画する。仕切部材には，小さな開口などはあっても良いが，仕切空間の内部（仕切部材とスラブ上面の間）が正圧に維持されることが望ましい。
【０００９】
前記スラブ上面は，土間の上面であっても良い。この場合，スラブの下面は，地上表面（地面）に直接接していても良いし，スラブの下面と直接接する地上表面（地面）に砂利などが敷いてあっても良い。また，排気と顕熱交換することにより温度上昇した低露点の外気を，二重床チャンバに対して空調空気を供給する位置のなるべく近くに供給しても良い。
【００１０】
また，顕熱交換器で排気と顕熱交換することにより温度上昇した低露点の外気を，窓近傍の室内側に供給する流路を設けても良い。この場合，同一の顕熱交換で温度上昇した低露点の外気を，スラブ上面と仕切部材の間と窓近傍に分けて供給すると良い。
【００１１】
本発明にあっては，例えば冬季などにおいて，建屋内から排出される高温の排気と，外部から取り込まれる低温の外気とを顕熱交換器で熱交換させることにより，排気中からの水分の移動が無い状態で外気を温度上昇させ，低露点空気を作る。そして，この温度上昇した低露点空気を，建屋内において暖房時に結露を発生しやすい箇所である二重床チャンバのスラブ上面や窓面に供給し，それらの箇所での結露を防止する。
【００１２】
【発明の実施の形態】
以下，本発明の好ましい実施の形態を図面を参照にして説明する。図１は，本発明の実施の形態にかかる結露防止装置１を備えた建屋２の概略的な構造を示す縦断面図であり，図２は，結露防止装置１の構成を示した斜視図である。
【００１３】
建屋２の内部には，床吹出し方式によって空調が行われる室１０が形成されている。図示の形態では，室１０として，通常のオフイス空間などを例示している。天井１１と床１２の間に形成された室１０の内部には，ＯＡ機器類などを操作する在室者１３がいる。
【００１４】
天井１１には，冷暖房用の吸気口２０，加湿用の吸気口２１及び給気口２２，排気用の吸気口２３及び外気供給用の給気口２４が設けてある。天井１１の上方（天井裏）には，天井チャンバ２５が形成されており，この天井チャンバ２５の内部に，冷暖房装置２６，加湿装置２７，全熱交換装置２８及び顕熱交換装置２９が配置してある。
【００１５】
建屋２の内部において，室１０の一側方（図１に示す例では，室１０の左側方）の外側には，給気ダクト３０が形成されている。図示の例では，給気ダクト３０は，室１０の左側方の横幅いっぱいに形成されている。また，室１０の他側面（図１に示す例では，室１０の右側面）には，窓３１が形成されている。窓３１の外側には，外気が接触している。図２に示すように，室１０の内部において，窓３１の上方には，窓３１の内面に沿って下向きに空気を流すためのスリット３２が配置されている。後述するように，窓３１の内面に沿って，このスリット３２から温度上昇した低露点外気ＯＡ’を下向きに送風するようになっている。スリット３２は窓３１の幅とほぼ同じ長さ（幅）を有し，その吹出開口部は窓３１に向けて引き絞られた形状とされ，窓３１に沿ったコアンダ気流が形成されるようになっている。
【００１６】
床１２には，床吹出し空調用の給気口３５が複数箇所に設けてある。床１２の下方（床下）には，ＯＡ機器の電気配線などに利用される二重床チャンバ３６が形成されている。二重床チャンバ３６は，床１２の下方全体に形成されている。二重床チャンバ３６の一側方（図１に示す例では，二重床チャンバ３６の左側方）は，前述の給気ダクト３０の下部と連通している。二重床チャンバ３６の下面となるスラブ３７と床１２の間には，床１２を支えるための支持部材３８が複数箇所に配置してある。そして，これら支持部材３８によって，スラブ３７の上面から適当な間隔を開けて上方に床１２を支持している。図示の室１０は，例えば建屋２の最下階であり，室１０の下面（スラブ３７の下面）が地上４０に直接接することにより，スラブ３７の上面は，いわゆる土間の上面になっている。なお，スラブ３７の下面と直接接する地上４０表面（地面）には，砂利などが敷いてある。
【００１７】
スラブ３７の上面は，仕切部材４５によって覆われており，二重床チャンバ３６の内部において，これらスラブ３７と仕切部材４５の間に空間４６が形成されている。仕切部材４５には，例えばアルミ板などの金属板，膜材などが利用できる。図示の例では，スラブ３７の上面には，断熱材４７が敷き詰められており，空間４６は，この断熱材４７の上面と仕切部材４５の下面との間に形成されている。この空間４６の厚さ（高さ）は，例えば５〜５０ｍｍ程度である。
【００１８】
図３は，二重床チャンバ３６の部分的な拡大図である。この図３に示す例では，仕切部材４５は，角波鋼板などで構成されており，そのような仕切部材４５を，断熱材４７の上に載せることにより，両者の間に空間４６が形成されている。また，二重床チャンバ３６内には，仕切部材４５の上方に電気配線４８などが設置されている。
【００１９】
図２に示すように，二重床チャンバ３６の内部において，仕切部材４５の両側には，二重床チャンバ３６の横幅いっぱいに形成された給気ヘッダ５０が配置してある。後述するように，これら給気ヘッダ５０を介して，断熱材４７の上面と仕切部材４５の下面の間に形成された空間４６に，室１０内空気の温度を取得して温度上昇した低露点外気ＯＡ’（以下，単に「低露点外気ＯＡ’」という）を供給するようになっている。仕切部材４５のほぼ中央には，通気口５１が適当箇所に開口している。後述するように，これらを通じて，空間４６から二重床チャンバ３６の内部に，温度上昇した低露点外気ＯＡ’が流出するようになっている。空間４６は，低温となるスラブ３７と，室１０内を暖房すべく高温にされた空気との間を緩衝する空間として作用し，スラブ３７の温度よりは高く，室１０内を暖房する空気よりは低温の空気が，空間４６の中に導入される。
【００２０】
次に，室１０上方の天井チャンバ２５内に配置された冷暖房装置２６は，温調器５５とファン５６を備えている。図示はしないが，温調器５５には，熱媒が循環供給されている。ファン５６の出口と給気ダクト３０上部の間には，動圧回収器としてのディフューザ５７が接続してある。そして，ファン５６の稼動により，室１０内の空気を，天井１１に設けた吸気口２０から冷暖房装置２６内に引き込み，温調器５５によって加熱もしくは冷却することにより温度調節し，こうして作った空調空気をディフューザ５７を介して給気ダクト３０の上部に供給するようになっている。給気ダクト３０は，天井チャンバ２５から二重床チャンバ３６に連通する竪ダクトを形成している。
【００２１】
ファン５６の稼動で冷暖房装置２６から吐出された空調空気は，末広がり形状のディフューザ５７を通過する際に，徐々に減速されて室１０の左側方の横幅いっぱいに広がったゆっくりとした流れとなり，運動エネルギを圧力エネルギに変換した状態で，給気ダクト３０内に供給される。こうして供給された空調空気が，給気ダクト３０内を横幅いっぱいに広がりながら下方にゆっくりと移動するようになっている。一方，給気ダクト３０内を下まで移動した空調空気は，給気ダクト３０の下部と連通している二重床チャンバ３６内に移動する。こうして，冷暖房装置２６で温度調節された空調空気が，二重床チャンバ３６の内部全体に速やかに広がって，床１２に設けられた給気口３５から，室１０内に給気ＳＡされ，床吹き出し方式によって室１０内の空調が行われるようになっている。
【００２２】
加湿装置２７は，エレメント６０とファン６１を備えている。エレメント６０には，水が供給されている。そして，ファン６１の稼動により，室１０内の空気を，天井１１に設けた吸気口２１から加湿装置２７内に引き込み，その空気をエレメント６０に通過させることにより加湿し，加湿された空気を天井１１に設けた給気口２２から再び室１０内に給気ＳＡするようになっている。
【００２３】
全熱交換装置２８は，全熱交換器（素子）６５と，給気用のファン６６及び排気用のファン６７を備えている。給気用のファン６６の稼動により，外気ＯＡを，流路６８を介して全熱交換装置２８内に引き込み，その空気を全熱交換器６５に通過させることにより，排気ＥＡと全熱交換させて熱回収し，これにより加熱もしくは冷却された空気を流路６９に送って，天井１１に設けた給気口２４から室１０内に給気ＳＡするようになっている。また，排気用のファン６７の稼動により，室１０内の空気を，天井１１に設けた吸気口２３から流路７０を介して全熱交換装置２８内に引き込み，その空気を全熱交換器６５に通過させることにより，外気ＯＡと全熱交換させて熱回収させ，その後，流路７１を介して排気ＥＡするようになっている。
【００２４】
顕熱交換装置２９は，顕熱交換器（素子）７５と，給気用のファン７６及び排気用のファン７７を備えている。給気用のファン７６の稼動により，外気ＯＡを，流路７８を介して顕熱交換装置２９内に引き込み，その空気を顕熱交換器７５に通過させることにより，排気ＥＡと顕熱交換させて熱回収させる。そして，これにより加熱もしくは冷却された空気（低露点外気ＯＡ’を含む）を，流路７９及び流路８０を通して，二重床チャンバ３６の内部に形成された断熱材４７の上面と仕切部材４５の下面の間の空間４６に供給すると共に，流路８１を通して，スリット３２から窓３１の内面に沿って下向きに送風し，窓３１近傍の室１０内側に空気を供給するようになっている。また，排気用のファン７７の稼動により，室１０内の空気を，天井１１に設けた吸気口２３から流路８５を介して顕熱交換装置２９内に引き込み，その空気を顕熱交換器７５に通過させることにより，外気ＯＡと顕熱交換させて熱回収し，その後，流路８６を介して排気ＥＡするようになっている。顕熱交換器７５は，金属壁等の伝熱性に優れ，かつ透湿性のない隔壁で隔てられた空気／空気の熱交換器であり，外気ＯＡと排気ＥＡを，水分を移動させずに熱交換させることが可能である。
【００２５】
さて，以上のような結露防止装置１を備えた建屋２において，例えば冬季などに暖房運転を行う場合，天井チャンバ２５内に配置された冷暖房装置２６では，温調器５５に温熱媒が循環供給される。そして，ファン５６の稼動により，室１０内の空気を天井１１に設けられた吸気口２０から吸い込んで温調器５５によって加熱し，その加熱された空調空気を給気ダクト３０を介して二重床チャンバ３６内に供給する。これにより，二重床チャンバ３６内が陽圧となって，床１２に設けられた給気口３５から室１０内に給気ＳＡされ，床吹き出し方式によって室１０内の暖房空調が行われる。この場合，ファン５６出口と給気ダクト３０上部の間にディフューザ５７が接続されていることにより，損失の少ない状態で運動エネルギを圧力エネルギに変換することができ，給気ダクト３０内を横幅いっぱいに広がりながら流下した空調空気を，二重床チャンバ３６の内部全体に円滑に供給することができる。これにより，室１０内全体をむらなく床吹き出し方式によって暖房空調することができる。
【００２６】
また，加湿装置２７では，ファン６１の稼動により，室１０内の空気を天井１１に設けた吸気口２１から吸い込み，エレメント６０に通過させることにより加湿し，加湿された空気を天井１１に設けた給気口２２から再び室１０内に給気ＳＡする。これにより，室１０内を加湿し，室１０内雰囲気を適度な湿度に保つ。
【００２７】
また，全熱交換装置２８では，給気用のファン６６の稼動により，外気ＯＡを流路６８を介して吸い込み，一方で，排気用のファン６７の稼動により室１０内の空気を吸気口２３，流路７０を介して全熱交換器６５に通過させた後，流路７１を介して建屋２の外部に排気ＥＡする。これにより，全熱交換器６５にて外気ＯＡと排気ＥＡと全熱交換させて排気ＥＡから温熱を回収し，加熱された空気を流路６９を通って天井１１に設けた給気口２４から室１０内に給気ＳＡする。こうして，室１０内の換気が行われる。
【００２８】
そして，顕熱交換装置２９では，給気用のファン７６の稼動により，外気ＯＡを流路７８を介して吸い込み，一方で，排気用のファン７７の稼動により，室１０内の空気を吸気口２３，流路８５から顕熱交換器７５に通過させた後，流路８６を介して排気ＥＡする。こうして，顕熱交換器７５にて外気ＯＡと排気ＥＡを顕熱交換させて排気ＥＡから温熱を回収する。冬季などにあっては，外気ＯＡは低温，低湿であるため，低湿度の外気ＯＡを顕熱交換器７５にて排気ＥＡと顕熱交換させ，排気ＥＡから外気ＯＡへの水分の移動のない状態で外気ＯＡを加熱することにより，温度上昇した低露点外気ＯＡ’を作り出すことができる。この場合，空気乾球温度は，外気ＯＡの温度ＴＯＡ＜低露点外気ＯＡ’の温度ＴＯＡ’＜顕熱交換前の排気ＥＡの温度（室温）ＴＲとなる。例えば，顕熱交換器７５の外気ＯＡ側効率を７０％，外気ＯＡの温度ＴＯＡが−５℃，室温ＴＲが２２℃であれば，低露点外気ＯＡ’の温度ＴＯＡ’＝（ＴＲ−ＴＯＡ）×０．７０＋ＴＯＡ＝（２２＋５）×０．７−５≒１３．９℃となる。こうして得た低露点外気ＯＡ’を，流路７９及び流路８０を通して，二重床チャンバ３６の内部に形成された断熱材４７の上面と仕切部材４５の下面の間の空間４６に供給する。これにより，二重床チャンバ３６の下面となるスラブ３７の上面は，低湿度に保たれ，結露発生が防止される。こうして，カビ発生や電気配線４８などの破損などを回避できるようになる。
【００２９】
また，顕熱交換器７５で作られた低露点外気ＯＡ’を，流路８１を介してスリット３２から吐出させ，室１０内において窓３１の内面に沿って下向きに送風する。これにより，窓３１内面の結露発生も防止できるようになる。このように，顕熱交換器７５を出た低露点空気ＯＡ’は，断熱材４７の上面と仕切部材４５の下面の間の空間４６と，窓３１の室１０内側近傍に，それぞれ分けて供給される。
【００３０】
なお，二重床チャンバ３６内に設けた空間４６に低露点外気ＯＡ’を供給する場合，断熱材４７の上面と仕切部材４５の下面の間の距離（空間４６の厚さ）を５〜５０ｍｍ程度にしておけば，空間４６に対して低露点外気ＯＡ’を少量送風することで，スラブ３７上面の結露発生を有効に防止することができる。顕熱交換装置２９の処理能力は，室１０内に換気として取り込まれる外気量の１／２０〜１／５程度で良く，その他の外気の処理は全熱交換装置２８で処理すれば良い。また，こうして空間４６に供給された低露点外気ＯＡ’は，仕切部材４５のほぼ中央に開口した通気口５１から二重床チャンバ３６の内部に流出するが，前述したようにスラブ３７の上面を断熱材４７で覆っておくことにより，空間４６を流通する低露点外気ＯＡ’の温度低下が軽減される。この場合，空間４６内から二重床チャンバ３６内に流出する低露点外気ＯＡ’は少量であるため，低露点外気ＯＡ’は，通気口５１から出た後，二重床チャンバ３６の内部において速やかに昇温され，二重床チャンバ３６内の温度均一性が保たれる。このように空間４６への低露点外気ＯＡ’の供給量を少なくし，その温度低下を軽減させることで，暖房運転時における熱負荷をより少なくすることができるようになる。
【００３１】
また，流路７９及び流路８０から空間４６に低露点外気ＯＡ’を供給する場合，図２に示したように，二重床チャンバ３６の横幅いっぱいに形成された給気ヘッダ５０から空間４６に低露点外気ＯＡ’を供給することにより，断熱材４７の上面と仕切部材４５の下面の間に形成された空間４６全体に，低露点外気ＯＡ’を薄い空気層として速やかに供給することができる。これにより，少ない供給量であっても，空間４６内全体にむらなく低露点外気ＯＡ’を行渡らせることができ，スラブ３７上面全体について結露発生を効率良く防止できるようになる。この場合，仕切部材４５としてアルミニウムなどの金属製のものを適用すると良い。仕切部材４５は，空調空気に曝露され続け，しかも断熱材４７の上面に敷設されているため，ここで結露する心配はない。なお，給気ヘッダ５０と仕切部材４５の接合部は次のように処理できる。量産品とする場合は，仕切部材４５の形状にあわせ給気ヘッダ５０を型抜きして製造する。あるいは，仕切部材４５の山部の高させ合わせて給気ヘッダ５０の壁部を形成し，その後，仕切部材４５の谷部を底板とパテで塞ぐ，などといった構成としても良い。
【００３２】
また，空間４６に対して低露点外気ＯＡ’を供給する位置は，冷暖房装置２６から二重床チャンバ３６内に空調空気を供給する位置に近いなるべく上流側に設定すると，気流方向の温度ムラに対して良好である。即ち，冬季などの暖房運転時において，冷暖房装置２６にて加熱した空調空気を二重床チャンバ３６内に供給する場合，二重床チャンバ３６内の空調空気中における温度分布は，空調空気の供給位置に近い上流側では高温となり，空調空気の供給位置から離れた下流側（二重床チャンバ３６の奥側）では低温となる。二重床チャンバ３６内に供給された空調空気と二重床チャンバ３６の下面となるスラブ３７上面との温度差について考えれば，二重床チャンバ３６に対する空調空気の供給位置に近い上流側ほど温度差が大きいため，スラブ３７上面に結露を生じやすくなり，空調空気の供給位置から離れた下流側ほど温度差が小さくなって結露を生じにくくなる。空間４６に対して低露点外気ＯＡ’を供給する位置を，冷暖房装置２６から二重床チャンバ３６内に空調空気を供給する位置に近い位置に設定すれば，そのような温度差を緩和することができ，結露発生を防止できる。
【００３３】
例えば図１に基いて説明すると，二重床チャンバ３６の内部において，冷暖房装置２６で加熱された空調空気が供給される左側（上流側）では，空調空気とスラブ３７上面との温度差が大きくなって結露を生じやすく，右側（下流側）では，温度差が小さくなって結露を生じにくい。そこで，二重床チャンバ３６に対して空調空気が供給される位置に近いなるべく上流側（図示の例では，二重床チャンバ３６の左側）において，顕熱交換装置２９によって温度上昇させた低露点外気ＯＡ’を空間４６に供給することが望ましい。そうすれば，スラブ３７上面に最も結露を生じやすい位置である空調空気の供給位置に，顕熱交換装置２９によって温度上昇させた低露点外気ＯＡ’を，未だ高温の状態で供給することにより，空調空気の供給位置における結露発生も有効に防止できるようになる。また，例えば図１について言えば，給気ダクト３０に近い流路７９を流れる空気量を，流路８０のそれより多くするとよい。
【００３４】
また，このように二重床チャンバ３６に対する空調空気の供給位置に近い上流側にて空間４６に供給された低露点外気ＯＡ’は，その後，スラブ３７上面で冷却されて徐々に温度低下しながら空間４６内を移動し，仕切部材４５のほぼ中央に形成された通気口５１から二重床チャンバ３６の内部に流出することとなる。このため，二重床チャンバ３６に対する空調空気の供給位置から離れた位置では，低露点外気ＯＡ’の温度は，空間４６に供給された直後の温度（顕熱交換装置２９によって温度上昇させられたままの，未だ高温の状態の低露点外気ＯＡ’の温度）に比べて低温となる。しかしながら，二重床チャンバ３６内に供給された空調空気も，二重床チャンバ３６内を移動する間に温度低下を生じ，二重床チャンバ３６に対する空調空気の供給位置から離れるに従って二重床チャンバ３６内の空調空気の温度も低下する。これにより，二重床チャンバ３６に対する空調空気の供給位置から離れるに従って空調空気とスラブ３７上面との温度差も小さくなり，結露を生じにくくなる。このため，温度低下した低露点外気ＯＡ’によっても充分に結露を防止することができるようになる。なお，図１に示す例では，二重床チャンバ３６の内部において，冷暖房装置２６で加熱された空調空気が供給される左側（上流側）の他，空調空気の供給位置と反対となる位置（右側）においても空間４６に対して低露点外気ＯＡ’を供給しているが，いずれにしても，冷暖房装置２６から二重床チャンバ３６内に空調空気を供給する位置に近いなるべく近い上流側において，空間４６に対して低露点外気ＯＡ’を供給するのが良い。
【００３５】
また，この実施の形態で示したように，全熱交換装置２８と顕熱交換装置２９を用いて外気ＯＡを処理する場合，例えば冬季などの暖房時において，室１０内の空調運転中，顕熱交換装置２９は継続して運転を行うことにより，空間４６内に低露点外気ＯＡ’を供給し続ける。一方で，全熱交換装置２８は，室１０内のＣＯ２濃度や人員数によって適宜運転をＯＮ／ＯＦＦし，全熱交換装置２８の運転を必要に応じて制御しても良い。この場合，ＣＯ２濃度センサなどの検出値により全熱交換装置２８の運転を自動発停すると便利である。また，全熱交換装置２８が複数台数あるような場合は，その稼動台数を制御しても良い。
【００３６】
以上，本発明の一例を説明したが，本発明はここに例示した形態に限定されない。例えば，二重床チャンバ３６の内部において，スラブ３７の上面に空間４６を形成するための仕切部材４５は，図３で説明したような角波鋼板や波形鋼板などに限られない。例えば図４に示すように，二重床チャンバ３６の内部において，フッ素樹脂などの不燃材シートからなる仕切部材４５によってスラブ３７の上面を覆い，スラブ３７と仕切部材４５の間に空間４６を形成することもできる。この場合，スラブ３７と仕切部材４５の密着を防いで適度な空間４６を形成できるように，スラブ３７と仕切部材４５の間に，パイプなどのクリアランス部材１００を介在させると良い。また，仕切部材４５の上面には，適当な重し１０１を載せて，クリアランス部材１００が不用意に剥れないようにすると良い。このような不燃材シートを用いた空間４６は，既存の二重床チャンバ３６の内部においても容易に施工でき，メンテナンスも容易である。仕切部材４５として用いる不燃材シートは，帯電防止性能を有することが望ましい。そうすれば，ごみの付着を少なくできる。
【００３７】
このようにスラブ３７の上面において，各種波形鋼板や不燃材シートを用いて形成される空間４６の厚さ（高さ）は，二重床チャンバ３６全体の高さにもよるが，５〜５０ｍｍ程度とし，外気ＯＡ’の供給量を少なくすることが好ましい。また，仕切部材４５の気密性を良くすれば，外気ＯＡ’の供給量をより少なくすることができる。このため，各種波形鋼板や不燃材シートの継目部分は，アルミテープなどで目張りすると良い。また，床１２を支えるための支持部材３８などが二重床チャンバ３６内に存在する場合は，それらの周りも目張りを施すと良い。
【００３８】
また，二重床チャンバ３６の高さに余裕がある場合は，図５に示すように，スラブ３７の上面に複数枚の仕切部材４５を重ねて配置することにより，スラブ３７の上面に空間４６を複数層に形成し，顕熱交換装置２９にて作り出した低露点外気ＯＡ’を，流路７９を通して，最も下層となる空間４６に供給するように構成すると良い。こうして供給された低露点外気ＯＡ’は，最も下層の空間４６内全体を移動した後，順次上層の空間４６内全体を移動してから，二重床チャンバ３６の内部に流出することとなる。このようにスラブ３７の上面に空間４６を複数層に形成することにより，顕熱交換器７５の熱交換効率を低下させても，スラブ３７上面の結露発生をより確実に防止できるようになり，省エネ性も向上する。例えば空間４６を５〜１０層とすれば，イセンシー（効率）η＝０でも結露発生を防止できるようになる。
【００３９】
【発明の効果】
本発明によれば，例えば冬季などの暖房運転時において，スラブ上面や窓面での結露を，省エネルギで防止することができ，カビ発生やケーブル破損などの問題も回避できる。また，結露による水分低下が無いので，室内湿度を上昇させることができ，冬季などの静電気問題も軽減される。また，土間上スラブにおいても結露発生を防止でき，土間上の部屋でも二重床チャンバを形成して，床吹出し方式の空調が可能となる。このため，部屋の使用用途が広がる。
【図面の簡単な説明】
【図１】本発明の実施の形態にかかる結露防止装置を備えた建屋の概略的な構造を示す縦断面図である。
【図２】本発明の実施の形態にかかる結露防止装置の構成を示した斜視図である。
【図３】二重床チャンバの部分的な拡大図である。
【図４】不燃材シートからなる仕切部材によってスラブ上面に空間を形成した二重床チャンバの部分的な拡大図である。
【図５】スラブの上面に空間を複数層に形成した本発明の実施の形態にかかる結露防止装置の構成を示した斜視図である。
【符号の説明】
ＯＡ　外気
ＯＡ’　温度上昇した低露点の外気
ＥＡ　排気
ＳＡ　給気
１　　結露防止装置
２　　建屋
１０　室
１１　天井
１２　床
２５　天井チャンバ
２６　冷暖房装置
２７　加湿装置
２８　全熱交換装置
２９　顕熱交換装置
３０　還気ダクト
３１　窓
３２　ノズル
３６　二重床チャンバ
３７　スラブ
４０　地上
４５　仕切部材
４６　空間
４７　断熱材
５０　給気ヘッダ
５７　ディフューザ
６５　全熱交換器
６８，６９，７０，７１，７８，７９，８０，８５，８６　流路
７５　顕熱交換器
【図１】
2004060901.tif 000003
【図２】
2004060901.tif 000004
【図３】
2004060901.tif 000005
【図４】
2004060901.tif 000006
【図５】
2004060901.tif 000007